(57)【要約】【課題】コストやサイズを増加させることなく、原稿圧着板の加速落下による衝撃を確実かつ安定して緩和させることができ、精密機器に対する悪影響を軽減することができる原稿圧着板の開閉装置を提供する。【解決手段】取付部材と支持部材とスライダーと圧縮コイルバネとカムフォロアーとカム部材から成る装置において、スライダーに対向して取付部材にカム部材を設け、スライダーとカム部材の間にカムフォロアーピンを介挿し、支持部材の左右の側板に圧入孔を形成して、カムフォロアーピンの両端部を各々挿入し、支持部材の回転にしたがってカムフォロアーピンを長孔の圧入孔に沿って摺動せしめ、該圧入孔にテーパーを形成して支持部材が閉じる際の加速度を抑えるように構成する。【選択図】図５
2010151898.tif 000002
【特許請求の範囲】
【請求項１】
原稿読取機器の本体に取り付けられる取付部材と、該取付部材にヒンジ軸を介して回動自在に取り付けられると共に原稿圧着板を取り付けた支持部材と、該支持部材に摺動自在に設けられたスライダーと、支持部材の端片と上記スライダーの間に介挿される圧縮コイルバネと、上記スライダーに対向して上記取付部材に設けられたカム部材から成る装置において、
上記カム部材と上記スライダーの間にカムフォロアーピンを介挿し、上記支持部材の左右の側板に圧入孔を形成して、上記カムフォロアーピンの両端部を各々挿入し、上記支持部材の回転にしたがって上記カムフォロアーピンを長孔の圧入孔に沿って摺動せしめ、該圧入孔にテーパーを形成して上記支持部材が閉じる際の加速度を抑えるように構成したことを特徴とする原稿圧着板の開閉装置。
【発明の詳細な説明】
【技術分野】
【０００１】
本発明は、複写機、ファクシミリ、スキャナ、プリンタ或いはそれらの複合機などの原稿読取機器における原稿圧着板の開閉装置に関するものである。
【背景技術】
【０００２】
従来の原稿圧着板の開閉装置としては、原稿読取機器の本体に取り付けられる取付部材と、該取付部材にヒンジ軸を介して回動自在に取り付けられると共に原稿圧着板を取り付けた支持部材と、スライダーと、圧縮コイルバネと、カム部材に弾性的に当接するカムフォロアーから構成されたものがある。（例えば、特許文献１参照）
【０００３】
しかしながら、上記従来の原稿圧着板の開閉装置は、原稿圧着板を取り付けた取付部材を閉じる際に、これが低角度（約３０度以下）になると、上記原稿圧着板の重量の垂直下方向ベクトルが急激に大きくなって、落下加速度が増加し、精密機器である原稿読取機器に大きな衝撃を与えてしまうという問題点があった。
【０００４】
特に、軽量で小型の開閉装置では、ダンパー等の衝撃吸収装置を取り付けるとコストが高くなるだけでなく、装置が大型になってしまう等の問題点もあった。
【特許文献１】特開２００８−２４０９２７号公報
【発明の開示】
【発明が解決しようとする課題】
【０００５】
本発明が解決しようとする課題は、コストやサイズを増加させることなく、原稿圧着板の加速落下による衝撃を確実かつ安定して緩和させることができ、精密機器に対する悪影響を軽減することができる原稿圧着板の開閉装置を提供することにある。
【課題を解決するための手段】
【０００６】
本発明の原稿圧着板の開閉装置は、原稿読取機器の本体に取り付けられる取付部材と、該取付部材にヒンジ軸を介して回動自在に取り付けられると共に原稿圧着板を取り付けた支持部材と、該支持部材に摺動自在に設けられたスライダーと、支持部材の端片と上記スライダーの間に介挿される圧縮コイルバネと、上記スライダーに対向して上記取付部材に設けられたカム部材から成る装置において、上記カム部材と上記スライダーの間にカムフォロアーピンを介挿し、上記支持部材の左右の側板に圧入孔を形成して、上記カムフォロアーピンの両端部を各々挿入し、上記支持部材の回転にしたがって上記カムフォロアーピンを長孔の圧入孔に沿って摺動せしめ、該圧入孔にテーパーを形成して上記支持部材が閉じる際の加速度を抑えるように構成したことを特徴とする。
【発明の効果】
【０００７】
本発明の原稿圧着板の開閉装置は、コストやサイズを増加させることなく、原稿圧着板の加速落下による衝撃を確実かつ安定して緩和させることができ、精密機器に対する悪影響を軽減することができるという利点がある。
【発明を実施するための最良の形態】
【０００８】
図１ないし図３は、本発明装置の一実施例を示すもので、１は取付部材、２はヒンジ軸、３は支持部材、４はスライダー、５は圧縮コイルバネ、６はカム部材、７はカムフォロアーピン、８は圧入孔である。
【０００９】
上記取付部材１は、複写機等の原稿読取機器の本体の上面に凹設した取付孔（図示せず）に上下可動自在に差し込まれるようになっているが、本発明の取付部材はこれに限定するものではなく、原稿読取機器の本体の上面に取り付けるものであれば、いずれでもよい。
【００１０】
上記支持部材３は、上記ヒンジ軸２を介して、上記取付部材１に回動自在に取り付けられる。該支持部材３の取付片３ａには、原稿圧着板（図示せず）が一体的に取り付けられる。
【００１１】
上記スライダー４は、上記支持部材３に摺動自在に収められていて、該スライダー４と支持部材３の端片３ｂとの間に、上記圧縮コイルバネ５が介挿されている。
【００１２】
上記スライダー４に対向して、上記取付部材１にはカム部材６が設けられている。該スライダー４と該カム部材６の間には、上記カムフォロアーピン７が介挿されている。従って、該カムフォロアーピン７は、上記圧縮コイルバネ５の弾発力により、上記カム部材６のカム面に弾性的に当接している。
【００１３】
上記支持部材３の左右の側板３ｃには、圧入孔８が形成されていて、上記カムフォロアーピン７の両端部が各々挿入されている。該圧入孔８は長孔となっていて、図１に示すように、上記支持部材３が閉じた状態において、上記カムフォロアーピン７は上記圧入孔８の一端側に位置（図５参照）し、図４に示すように、上記支持部材３が開いた状態において、上記カムフォロアーピン７は上記圧入孔８の他端側に位置（図５参照）するように、上記支持部材３の回転にしたがって、上記カムフォロアーピン７が長孔の圧入孔８に沿って摺動する。
【００１４】
上記支持部材３が開いた状態から閉じる際に、例えば、約３０度付近の閉じ位置から完全に閉じる位置までに、上記カムフォロアーピン７が摺動する上記圧入孔８の巾Ｗ（図５参照）は漸次狭く（テーパーＴ）なり、摺動抵抗が次第に増加して、上記支持部材３の閉じる際の加速度を抑える（ダンパー効果）ようになっている。上記テーパーには、片側だけに傾斜面を形成するものも含まれる。
【００１５】
なお、上記圧入孔８の他の部分は、上記カムフォロアーピン７の直径より大きくて抵抗がないので、軽い開閉操作ができる。また、原稿圧着板がコンタクトガラス面と接する閉状態では、上記圧入孔８の端部も抵抗力を発揮させないようテーパーＴは解除されていて、閉状態の放置時に装置に余計な応力が生じないようにしている。
【００１６】
本発明では、上記圧入孔８にテーパーＴを形成して、上記カムフォロアーピン７の移動抵抗を制御し、その結果、上記支持部材３すなわち原稿圧着板を閉じる際の急激な降下を緩和するように構成したので、上記カムフォロアーピン７の径や、上記圧入孔８の巾（テーパーＴ）を容易に変更して移動抵抗力を容易に調整することができる。
【００１７】
本実施例では、開閉装置（ヒンジ）が機器本体に対して上下可動な小型ヒンジについて説明したが、本発明はこの種のヒンジ（開閉装置）に限定するものではなく、上記支持部材３に回動自在に取り付けられると共に原稿圧着板を一体的に取り付けて、厚みのある原稿を圧着することができるリフト部材を設けた種類の開閉装置（ヒンジ）であってもよい。
【図面の簡単な説明】
【００１８】
【図１】本発明装置の一実施例を示す斜視図である。
【図２】図１の装置の断面図である。
【図３】図１の装置の支持部材を取り除いた状態の斜視図である。
【図４】図１の装置の支持部材が開いた状態の斜視図である。
【図５】圧入孔とこれに挿入されるカムフォロアーピンの拡大説明図である。
【符号の説明】
【００１９】
１    取付部材
２    ヒンジ軸
３    支持部材
３ａ  取付片
３ｂ  端片
３ｃ  側板
４    スライダー
５    圧縮コイルバネ
６    カム部材
７    カムフォロアーピン
８    圧入孔
Ｔ    テーパー
Ｗ    巾
【図１】
2010151898.tif 000003
【図２】
2010151898.tif 000004
【図３】
2010151898.tif 000005
【図４】
2010151898.tif 000006
【図５】
2010151898.tif 000007